(57)【要約】【課題】本発明の目的は、取扱性に優れた土嚢充填補助具を提供すること。【解決手段】土嚢袋６に充填物Ｓを充填する際の補助に使用するための筒状枠体１よりなる土嚢充填補助具であって、テーパー状に形成された側壁４と、側壁の上端部に取付けられた把手部２と、筒状枠体１の投入口３から視認可能な位置に設けられた目盛り９と、側壁４の外側面に設けられた縦方向のリブ１１と、を備えた土嚢充填補助具。【効果】筒状枠体の側壁がテーパー状壁面を有することで、充填が完了した後、土嚢袋からの抜脱が容易且つ迅速となり、また、筒状枠体が、把手部を有することで引き抜く際に効率よく力が加わる。そのため取扱性が極めて優れたものとなる。【選択図】　図２
2004035003.tif 000002
【特許請求の範囲】
【請求項１】
土嚢袋に充填物を充填する際の補助に使用するための筒状枠体よりなる土嚢充填補助具であって、該筒状枠体の側壁が、テーパー状に形成されていることを特徴とする土嚢充填補助具。
【請求項２】
筒状枠体が、把手部を有することを特徴とする請求項１記載の土嚢充填補助具。
【請求項３】
把手部が、筒状枠体の側壁の上端部から突出した突状把持体として形成されてなることを特徴とする請求項２記載の土嚢充填補助具。
【請求項４】
把手部が、筒状枠体の側壁の上端部に取付けられた回動可能な円弧状把持体として形成されてなることを特徴とする請求項２記載の土嚢充填補助具。
【請求項５】
目盛りが、筒状枠体の投入口から視認可能に設けられていることを特徴とする請求項１記載の土嚢充填補助具。
【請求項６】
筒状枠体の排出口の側壁の外面が垂直状の案内面として形成されていることを特徴とする請求項１記載の土嚢充填補助具。
【請求項７】
縦方向のリブが、筒状枠体の側壁の外面に設けられていることを特徴とする請求項１記載の土嚢充填補助具。
【請求項８】
筒状枠体の一部にネームプレートの装着部を設けたことを特徴とする請求項１記載の土嚢充填補助具。
【請求項９】
土嚢袋に充填物を充填する際の補助に使用するための筒状枠体よりなる土嚢充填補助具であって、テーパー状に形成された側壁と、側壁の上端部に取付けられた把手部と、筒状枠体の投入口から視認可能な位置に設けられた目盛りと、側壁の外側面に設けられた縦方向のリブと、を備えたことを特徴とする土嚢充填補助具。
【発明の詳細な説明】
【０００１】
【発明の属する技術分野】
本発明は、土木建築工事や災害時等に使用するための土嚢に関し、更に詳しくは、土嚢袋に充填物を充填する際に補助用に使用する土嚢充填補助具に関するものである。
【０００２】
【従来の技術】
従来、土嚢作りは、土木建築工事等の現場で一人が土嚢袋の袋口を開いた状態に保持し、他の一人がスコップ等を使用して中に土砂等の充填物を充填することで土嚢が作られる。
従って、土嚢作りは、少なくとも二人以上の共同作業によって行われることが普通であった。
ところで、この土嚢袋への土砂等の充填量は、国土交通省が指定する標準土嚢によると、０．０２ｍ３とされており、土嚢は、この規定の充填量になるように作られる。
【０００３】
もっとも、この充填量は、土嚢の使用目的に応じて作業現場で随時調整されるものであるが、殆どは標準である０．０２　ｍ３　か、又はその半分の０．０１　ｍ３　の量で使用されることが多い。
また、このように管理された土嚢は、大きさが同じになるため、積み上げ施工する際に崩れにくく、積み上げ後も期待した強度が得られる。
しかしながら、従来の充填を補助する土嚢充填補助具には、充填量を確認するための判断手段等が設けられていない。
【０００４】
そのため、土嚢袋への充填量は、作業者の勘に依存することが多く、作られた土嚢袋の大きさは不揃となり易く、特に作業者が複数の場合は、その弊害が避けられない。
その結果、土嚢袋を積み上げ施工する際、土嚢袋の大きさが不揃となり期待された強度が得れなくなり、特に水害等による止水壁として使用される場合は、止水壁の崩壊につながる。
【０００５】
ちなみに、土嚢袋への充填量は、充填物の密度を安定させた上でなければ、実質上の充填量が不揃となる。
そのため、土嚢袋内の充填物は、実際の現場では、密度の安定化のため作業者がスコップ等で押し込んだりして、極力、隙間のないように圧縮調整される。
【０００６】
このような土嚢は、災害時等では種々な場所で使用され、必ずしも熟練した作業員がいるとは限らないので、土嚢に充填するための充填補助具には、運搬性がよく誰でも手軽に使用できるものが求められている。
一方、災害現場での土嚢作りは、迅速に、且つ人手が少なくても効率よく行われる必要があるので、従来のような二人以上の作業者を必要としない方法が求められていた。
【０００７】
そこで、この問題を解決すべく、土嚢作りを一人でも行えるようにした充填補助具が開発されている。
【０００８】
例えば、実用新案登録第３０７９２０８号公報の充填補助具は、土嚢袋内に筒を挿入し、この筒の上部に受け口ホッパーを装着することで土砂を投入し易くしたものである。
しかし、この充填補助具は、二つの部材より構成されているために嵩張る上、広い保管場所が必要であり、また運搬にも不便である。
【０００９】
更に、土嚢を迅速に作るには、土砂等を充填した後に充填補助具である筒を土嚢袋から容易に抜き抜きできること、すなわち容易抜脱性が必要であるが、この充填補助具は、下細（いわゆる逆テーパ状）となっているために、抜脱する際の抵抗力が大きい。
【００１０】
他方、実用新案登録第３０８３０１８号公報の充填補助具は、筒の底側部分に切欠け部を設けることで充填物との接触面を減らしたものである。
この筒も、底側部分の断面積が土砂投入側の断面積より大きい下細の（出口が狭い漏斗形状）の筒として形成されているため、引き抜く際、充填物の重力が筒に作用して分力が生じ抜けにくい。
この筒は、切欠け部から土砂を流出できる利点がある反面、一旦、切欠け部から流出した土砂が土嚢袋と筒の外側面との間に入り込み、筒を周りから押さえる方向に作用する。
そのため、筒の壁面が内側及び外側の土砂等により締付けられて引抜きに支障がきたす。
【００１１】
また、充填物の粘性度合いの違いに応じて切欠け部からの流出量が違うので、目視によって充填物の量を把握しにくい。
すなわち、作業者は、筒を上から見ながら充填物の投入によって筒内壁がどれほどの高さまで埋め隠されたかを視認することで充填量を把握しているが、切欠け部からの流出量が、充填物の流動性の度合いによって異なるために、充填量を把握しにくい。
以上、述べたように従来の充填補助具は、抜脱性等が悪くその取扱性は必ずしも満足できるものではなかった。
【００１２】
【発明が解決しようとする課題】
本発明は、かかる実状を背景に、上記の問題点を克服するためになされたものである。
すなわち、本発明の目的は、取扱性に優れた土嚢充填補助具を提供することである。
【００１３】
【課題を解決するための手段】
かくして、本発明者は、このような課題背景に対して、鋭意研究を重ねた結果、土嚢充填補助具である筒状枠体の側壁が、テーパー状に形成されていることで土嚢袋からの抜脱を容易でき、結果的に取扱性が向上することを見出し、この知見に基づいて本発明を完成させたものである。
【００１４】
即ち、本発明は、（１）土嚢袋に充填物を充填する際の補助に使用するための筒状枠体よりなる土嚢充填補助具であって、該筒状枠体の側壁が、テーパー状に形成されている土嚢充填補助具に存する。
【００１５】
そして、（２）、筒状枠体が、把手部を有する土嚢充填補助具に存する。
【００１６】
そしてまた、（３）、把手部が、筒状枠体の側壁の上端部から突出した突状把持体として形成されてなる土嚢充填補助具に存する。
【００１７】
そしてまた、（４）、把手部が、筒状枠体の側壁の上端部に取付けられた回動可能な円弧状把持体として形成されてなる土嚢充填補助具に存する。
【００１８】
そしてまた、（５）、目盛りが、筒状枠体の投入口から視認可能に設けられている土嚢充填補助具に存する。
【００１９】
そしてまた、（６）、筒状枠体の排出口の側壁の外面が垂直状の案内面として形成されている土嚢充填補助具に存する。
【００２０】
そしてまた、（７）、縦方向のリブが、筒状枠体の側壁の外面に設けられている土嚢充填補助具に存する。
【００２１】
そしてまた、（８）、筒状枠体の一部にネームプレートの装着部を設けた土嚢充填補助具に存する。
【００２２】
そしてまた、（９）、土嚢袋に充填物を充填する際の補助に使用するための筒状枠体よりなる土嚢充填補助具であって、テーパー状に形成された側壁と、側壁の上端部に取付けられた把手部と、筒状枠体の投入口から視認可能な位置に設けられた目盛りと、側壁の外側面に設けられた縦方向のリブと、を備えた土嚢充填補助具に存する。
筒状枠体の側壁がテーパー状に形成されていることで充填完了後に土嚢袋からの抜脱が迅速且つ容易となる。
また、目盛りが筒状枠体の視認可能な位置に設けられていることにより土嚢袋への充填量が把握し易い。
また、リブが筒状枠体の側壁の外面に設けられていることで筒状枠体が補強される。
また、筒状枠体が、把手部を有することで引き抜く際に効率よく力が加わって引抜き易い。
本発明は、この目的に沿ったものであれば、上記１〜９の中から選ばれた２つ以上を組み合わせた構成も当然採用可能である。
【００２３】
【発明の実施の形態】
本発明の土嚢充填補助具は、筒状枠体を土嚢袋に挿入してその中に土砂等の充填物Ｓを充填するための補助用具として使用するものである。
更にいうなら、本発明は、土嚢袋６に充填物Ｓを充填する際の補助に使用するための筒状枠体１よりなる土嚢充填補助具であり、この筒状枠体１の側壁４が、テーパー状に形成されていることを大きな特徴とするものである。
以下、本発明の実施の形態を図面に基づいて説明する。
【００２４】
〔第１の実施の形態〕
図１は、この実施の形態における土嚢充填補助具の斜視図を示す。
この土嚢充填補助具は、土砂等の充填物Ｓを一定量収納保持する筒状枠体１より形成されており、この筒状枠体１の材料としては、金属、プラスチック等が採用される。
この筒状枠体１の側壁４の上端部には、充填物の充填後、筒状枠体１を土嚢袋から引き抜く（いわゆる抜脱する）際に、握るための部分である把手部２が設けられている。
把手部２は、筒状枠体１の側壁４の上端部から円周状に突出する突状把持体２Ａとして形成されている。
また、この筒状枠体１は、充填物Ｓを投入する投入口３と、充填物Ｓを収納保持する部分である側壁４（抜脱時には、その中が通路となる）と、排出口５とを備える。
【００２５】
また、筒状枠体１の投入口３が小さく、また排出口５が大きくなることで側壁４がテーパー状（すなわち上細状）に形成されている。
すなわち、排出口５の断面積は、投入口３の断面積より大きく形成されることになり、充填物Ｓを入れる中空部の形は、略円錐台となる。
【００２６】
図２は、土嚢袋６に筒状枠体１の排出口５を下にして挿入した状態を示す図である。
さて土嚢を作る際は、まず最初に土嚢袋６を地面や床等に置き、その土嚢袋６の袋口７に筒状枠体１を当てるようにして載せる〔図２（Ａ）参照〕
次に、筒状枠体１の側壁４の外面に沿って、土嚢袋６を引っ張り上げて筒状枠体１を外側から包み込むような状態とする〔図２（Ｂ）参照〕
その際、土嚢袋６の袋口７は、筒状枠体１の投入口３よりやや下の位置で止まるようにし、そこで紐８を適度に締め付けることにより、ずり下がらないようにする。
【００２７】
これで、土嚢袋６の袋口７は、筒状枠体１のテーパー状の側壁４によって支持されて、それより下がることはない。
【００２８】
次に、筒状枠体１の投入口３より土砂等の充填物Ｓを投入する〔図２（Ｃ）参照〕
このように、土嚢袋６は、手で支持されていなくてもズリ下がらないことから、土嚢袋６への充填作業は、一人の作業者によって容易に行うことができる。
ほぼ充填し終わったら、土嚢袋６の紐８を、筒状枠体１の引き抜き作業に備えて、多少緩めた後、筒状枠体１の突状把持体２Ａを掴んで、そのまま上方に一挙に引き抜く〔図２（Ｄ）参照〕
なお、引き抜きにより加わる力は、周設された突状把持体２Ａにより受止められて筒状枠体１のテーパー状側壁へ均等に分散されることで、作業者による引き抜きも片寄ることなく真っ直ぐに行われる。
さらに、円周上に把手部２が形成されていることで、引き抜きによる力が加わっても投入口３側が変形することがなく、局所的な応力の発生も解消され耐久性が高まる。
また、突状把持体２Ａが円周状に形成されているために、どの位置を掴んでもよく、作業する際の身体の位置によって自由に選択できる。
【００２９】
さて、テーパー状の側壁４は、従来のようなテーパー構造を有しない筒や逆テーパー状側壁を有する筒に比較して、上方に引き抜く際、充填物Ｓとの接触が早く断たれる。
そのために、筒状枠体に充填物の重量に起因する分力が発生せず、引き抜きが容易に行われる。
引き抜いた後、充填物は、筒状枠体１の排出口５より土嚢袋６内に一挙に流出される。
【００３０】
因みに、従来の逆テーパー状の側壁を有するような筒は、充填物が筒内に内在する限り接触面に分力が加わるために、本発明のようなテーパー状側壁を有する筒状枠体１に比べて引き抜きが容易ではない。
さて、土嚢作りは、筒状枠体１を引き抜いた後に土嚢袋６の袋口７を紐８用いて閉塞することで終了する。
なお、この土嚢充填補助具は、筒状枠体１がテーパー状側壁を有していることにより、複数個、積み重ねても嵩高にならない。
すなわち、積み重ねても上側の筒状枠体内に下側の筒状枠体１が一部収納されるためコンパクトに積み上げることができて保管場所も少なくなる。
【００３１】
〔第２の実施の形態〕
本実施の形態は、第１の実施の形態における筒状枠体１の上端部に、回動可能な把手部２である円弧状把持体２Ｂ（詳しくは半円弧状把持体）を設けた例である。
図３に示すように、回動可能な円弧状把持体２Ｂの取付け部１０は、筒状枠体１の上端部の１８０度離れた相対する位置にある。
この場合、円弧状把持体２Ｂの端部をＬ状に屈曲させて取付け部１０の穴に挿通させた状態とする〔図３（Ａ）参照〕。
【００３２】
この円弧状把持体２Ｂは、例えば、図のように、回動させた状態（すなわち倒した状態）で充填補助具の投入口３の側壁上面に合致するような半円状に形成することで、側壁上面に載置されて納まるようになる〔図３（Ｂ）参照〕。
そのために、図４に示すように、土嚢充填補助具を積み重ねても下方の円弧状把持体２Ｂが上方の筒状枠体１と干渉することがない（図４参照）。
また、土砂等の充填作業の際にも邪魔にならない。
当然、円弧状把持体２Ｂは、湾曲しているために把持し易く、簡単に掴むことができ筒状枠体１の引き抜きが行い易い利点がある。
なお、把手部２の材質は、金属、繊維紐、プラスチック等、適宜のものが採用される。
【００３３】
〔第３の実施の形態〕
本実施の形態は、第１の実施の形態における筒状枠体１の投入口３を介して視認できる位置に目盛りを設けた例である。
図５に示すように、筒状枠体１には、充填物の投入量が視認できるように内側に目盛り９が設けられている。
【００３４】
この目盛り９は、作業現場での土嚢の使用目的に応じて、国土交通省の標準土嚢である０．０２　ｍ３　か、その半分の０．０１　ｍ３　の土嚢量に相当する位置に設けられることが好ましが、細かく区切るように目盛り９を設けても、当然よい。
【００３５】
この目盛りの形成方法としては、凹凸を設けたり、色彩を付与したりすることで形成される。
また目盛り９を円周状に設ければ、どの位置でも視認できて便利である。
なお、目盛り９が、筒状枠体の素材と異なる色で着色されるものであれば視認性が、より良く発揮される。
【００３６】
〔第４の実施の形態〕
本実施の形態は、第１の実施の形態における筒状枠体１の側壁４の外面に縦方向のリブ１１を設けた例である。
図６に示すように、リブ１１は長手方向に縦方向に形成されることにより、筒状枠体１が補強されるだけでなく、筒状枠体１を引き抜く際にも、リブ１１が案内となりスムースに引き抜かれる効果もある。
このリブ１１の数や太さは限定されるものではなく、筒状枠体１が補強されたり又は引抜き時の案内作用を行うものであれば、種々のものが採用される。
【００３７】
ところで、土嚢袋６に土砂等を充填する際、作業者が土砂等をスコップ等により突つきながら筒状枠体１に押し込んで、土砂間の間隙を極力なくして充填物の密度が均一になるよう調整する。
この際、無理な力が加わってもリブ１１の補強効果により筒状枠体１に変形が生じない。
【００３８】
また、筒状枠体１が縦方向のリブ１１を有することにより、補強されて変形しにくいために、長期間、使っていても局所的な応力が発生しにくく、結果的に耐久性が増す。
リブ１１を設けることにより、強度が保証されるために、筒状枠体１の厚みを少なくでき結果的に軽量化が図れる。
【００３９】
〔第５の実施の形態〕
本実施の形態は、第１の実施の形態における筒状枠体１の排出口５の側壁４の外面４２が垂直にカットされて案内面４３が形成された例である。
図７の断面図に示すように、排出口５の周りに形成された案内面４３は、土嚢袋６で筒状枠体１を包み込む際のガイドとなり、包み込む際の動作がスムースに行われる。
【００４０】
すなわち、土嚢袋６は、袋口７を筒状枠体１の外面４２に沿って包み込むように引き上げられが、この案内面１３があることによってエッジが立たず、筒状枠体１に土嚢袋が引っ掛かることが防止される。
【００４１】
以上、本発明を説明したが、本発明は、上述した実施の形態に限られるものではなく、その目的に則したものであれば種々の変形が可能である。
例えば土嚢充填補助具は、全体を一体形成としても良いが把手部と筒状枠体を着脱自在としてもよい。
また把手部の形状としては把持し易い形状であれば当然採用可能である。
また円弧状把持体の形状も半円形以外にも変更可能である。
また、筒状枠体の上端部近傍に指等を挿入できる穴を形成することで把持部とすることも可能である。
また筒状枠体の側壁の一部にネームプレートの装着部を形成して、ネームプレートによって各種の表示ができるようにすることも可能である。
【００４２】
【発明の効果】
以上説明したように、本発明の土嚢充填補助具は、筒状枠体の側壁がテーパー状壁面を有することで充填が完了した後、土嚢袋からの抜脱が容易且つ迅速となる。
また、筒状枠体が、把手部を有することで引き抜く際に効率よく力が加わる。また、目盛りが筒状枠体の投入口から視認可能な位置に設けられていることにより土嚢袋への充填量が把握し易い。
また、リブが筒状枠体の側壁の外面に設けられていることで筒状枠体が補強される。
また縦方向のリブであることで、筒状枠体を引き抜く際の案内となり、より容易に引き抜きが可能となる。
本発明の土嚢充填補助具は、取扱性が極めて優れたものである。
【図面の簡単な説明】
【図１】図１は、本発明の第１の実施の形態を示す土嚢充填補助具の図である。
【図２】図２は、土嚢の充填手順を示す図であり、それぞれ、（Ａ）は、土嚢袋の上に筒状枠体を載置した状態を示し、（Ｂ）は、土嚢袋を引っ張り上げた状態を示し、（Ｃ）は、充填物を投入する状態を示し、（Ｄ）は、充填後の筒状枠体を引き抜く状態を示す。
【図３】図３は、本発明の第２の実施の形態を示す回動可能な円弧状把持体を備えた土嚢充填補助具の図であり、それぞれ、（Ａ）は、斜視図を示し、（Ｂ）は、側壁上面に倒した円弧状把持体を示す。
【図４】図４は、土嚢充填補助具を積み重ねた状態を示す図である。
【図５】図５は、本発明の第３の実施の形態である目盛りを備えた土嚢充填補助具を示す図である。
【図６】図６は、本発明の第４の実施の形態であるリブを有する土嚢充填補助具を示す図である。
【図７】図７は、本発明の第５の実施の形態である案内面を有する土嚢充填補助具を示す断面図である。
【符号の説明】
１…筒状枠体
２…把手部
２Ａ…突状把持体
２Ｂ…円弧状把持体
３…投入口
４…側壁
４２…外面
４３…案内面
５…排出口
６…土嚢袋
７…袋口
８…紐
９…目盛り
１０…取付け部
１１…リブ
１２…外面
１３…案内面
Ｓ…充填物
【図１】
2004035003.tif 000003
【図２】
2004035003.tif 000004
【図３】
2004035003.tif 000005
【図４】
2004035003.tif 000006
【図５】
2004035003.tif 000007
【図６】
2004035003.tif 000008
【図７】
2004035003.tif 000009